(57)【要約】【課題】上縦樋を流れる雨水の水量に合わせて、適切な水量の雨水を外部に取り出すことができる縦樋雨水取出装置を提供すること。【解決手段】縦樋雨水取出装置１は、上縦樋２と下縦樋３とを連通させる取水用継手筒４と、取水用継手筒４に連通し、取水用継手筒４を流れる雨水を外部に取り出す雨水取出部５と、からなる。取水用継手筒４は、上端部に上縦樋接続筒部６を備え、下端部に下縦樋接続筒部７を備え、上端部と下端部の間に取水用継手筒４の内部を上下に仕切る仕切り部８を備える。仕切り部８は上下に貫通する貫通孔９を備える。そして、仕切り部８より上方へ突出し、その突出長さを調整可能な調整筒体１０を、貫通孔９に連通するように仕切り部８に設ける。【選択図】図１
2012046955.tif 000002
【特許請求の範囲】
【請求項１】
上縦樋と下縦樋とを連通させる取水用継手筒と、前記取水用継手筒に連通し、前記取水用継手筒を流れる雨水を外部に取り出す雨水取出部と、からなる縦樋雨水取出装置であって、
前記取水用継手筒は、上端部に上縦樋接続筒部を備え、下端部に下縦樋接続筒部を備え、上端部と下端部の間に前記取水用継手筒の内部を上下に仕切る仕切り部を備え、
前記仕切り部は、上下に貫通する貫通孔を備え、
前記仕切り部より上方へ突出し、その突出長さを調整可能な調整筒体を、前記貫通孔に連通するように前記仕切り部に設けたことを特徴とする縦樋雨水取出装置。
【請求項２】
前記調整筒体は、前記仕切り部より上方への突出長さが異なる複数の筒状体の中から選択したものであることを特徴とする請求項１に記載の縦樋雨水取出装置。
【請求項３】
前記調整筒体は、前記貫通孔に上下に移動自在に嵌め込まれた移動筒体であることを特徴とする請求項１に記載の縦樋雨水取出装置。
【発明の詳細な説明】
【技術分野】
【０００１】
本発明は、縦樋に取り付けて雨水を外部に取り出す雨水取出装置に関するものである。
【背景技術】
【０００２】
従来から、図１１に示すように、上縦樋２と下縦樋３との間に取り付けて雨水を外部に取り出す縦樋雨水取出装置５０が提案されている（特許文献１参照）。
【０００３】
この縦樋雨水取出装置５０は、上縦樋２と下縦樋３とを連通させる取水用継手筒５１と、取水用継手筒５１に連通し、取水用継手筒５１を流れる雨水を外部に取り出す雨水取出部５２と、から主体が構成されている。
【０００４】
取水用継手筒５１は、上縦樋２に接続する上縦樋接続筒部５３を上端部に備え、下縦樋３に接続する下縦樋接続筒部５４を下端部に備え、上端部と下端部の間に取水用継手筒５１の内部を上下に仕切る仕切り部５５を備える。仕切り部５５には上下に貫通する貫通孔５６が設けてあって、この貫通孔５６周縁の仕切り部５５からは、上方へ突出する筒体５７が形成されている。
【０００５】
以上のように構成される縦樋雨水取出装置５０が上縦樋２と下縦樋３との間に取り付けられる。上縦樋２から流れ込んでくる雨水は、一旦、仕切り部５５で受けられて、この雨水の一部が、筒体５７を越えて貫通孔５６（下縦樋３）に排水され、残りの雨水が、雨水取出部５２に流れ込み外部に取り出される。
【先行技術文献】
【特許文献】
【０００６】
【特許文献１】特開２００８−１５６９４８号公報
【発明の概要】
【発明が解決しようとする課題】
【０００７】
しかし、上記構成の縦樋雨水取出装置５０において、上縦樋２を流れる雨水の水量が多い場合に、筒体５７の上方への突出長さが長いと、仕切り部５５で受けた雨水の大部分は、この筒体５７を越えることができない。よって、大量の雨水の大部分が筒体５７を越えることができなくては、縦樋雨水取出装置５０が雨水で溢れてしまうという問題があった。
【０００８】
また、上記構成の縦樋雨水取出装置５０において、上縦樋２を流れる雨水の水量が少ない場合に、筒体５７の上方への突出長さが短いと、仕切り部５５で受けた雨水の大部分が、この筒体５７を簡単に越えてしまう。よって、少ない雨水の大部分がこのように筒体５７を簡単に越えてしまっては、十分な水量の雨水を外部に取り出すことができないという問題があった。
【０００９】
そこで、本発明は、上縦樋を流れる雨水の水量に合わせて、適切な水量の雨水を外部に取り出すことができる縦樋雨水取出装置を提供することを課題とする。
【課題を解決するための手段】
【００１０】
上記課題を解決するための本発明は、上縦樋と下縦樋とを連通させる取水用継手筒と、前記取水用継手筒に連通し、前記取水用継手筒を流れる雨水を外部に取り出す雨水取出部と、からなる縦樋雨水取出装置であって、前記取水用継手筒は、上端部に上縦樋接続筒部を備え、下端部に下縦樋接続筒部を備え、上端部と下端部の間に前記取水用継手筒の内部を上下に仕切る仕切り部を備え、前記仕切り部は、上下に貫通する貫通孔を備え、前記仕切り部より上方へ突出し、その突出長さを調整可能な調整筒体を、前記貫通孔に連通するように前記仕切り部に設けたことを特徴とする。
【００１１】
また、前記調整筒体は、前記仕切り部より上方への突出長さが異なる複数の筒状体の中から選択したものであることが好ましい。
【００１２】
または、前記調整筒体は、前記貫通孔に上下に移動自在に嵌め込まれた移動筒体であることが好ましい。
【発明の効果】
【００１３】
本発明の縦樋雨水取出装置は、上縦樋を流れる雨水の水量に合わせて、適切な水量の雨水を外部に取り出すことができる。
【図面の簡単な説明】
【００１４】
【図１】本発明の第一の実施形態の縦樋雨水取出装置を示し、（ａ）は調整筒体を取り付けていない状態の正面断面図を示し、（ｂ１），（ｂ２），（ｂ３）は調整筒体の正面断面図であり、（ｃ）は調整筒体を取り付けた状態の正面断面図であり、（ｄ）は調整筒体の斜視図である。
【図２】同上の縦樋雨水取出装置を示し、（ａ）は一部破断平面図であり、（ｂ）は正面図であり、（ｃ）は下面図であり、（ｄ）は側面図である。
【図３】同上の縦樋雨水取出装置を示し、（ａ）は細い上縦樋と細い下縦樋とを接続した状態の斜視図であり、（ｂ）は太い上縦樋と太い下縦樋とを接続した状態の斜視図である。
【図４】同上の縦樋雨水取出装置を示し、（ａ）は細い上縦樋と細い下縦樋とを接続した状態の正面断面図であり、（ｂ）は太い上縦樋と太い下縦樋とを接続した状態の正面断面図である。
【図５】同上の縦樋雨水取出装置に取出ホースを外嵌接続した状態を示し、（ａ）は正面図であり、（ｂ）は一部破断正面図である。
【図６】同上の縦樋雨水取出装置に取出ホースを内嵌接続した状態を示し、（ａ）は正面図であり、（ｂ）は一部破断正面図である。
【図７】（ａ）は建築壁への固定部が突出した縦樋雨水取出装置の斜視図であり、（ｂ１），（ｂ２）は固定部と建築壁とを固定する固着接続具の斜視図であり、（ｃ）は建築壁に固定した縦樋雨水取出装置の正面図である。
【図８】固定部の他例が突出した縦樋雨水取出装置の斜視図である。
【図９】本発明の第二の実施形態の縦樋雨水取出装置を示し、（ａ）は調整筒体を上方に移動させた状態の正面断面図を示し、（ｂ）は調整筒体を下方に移動させた状態の正面断面図である。
【図１０】同上の縦樋雨水取出装置の蓋と接続部材を外した状態を示し、（ａ）は平面図であり、（ｂ）は分解斜視図である。
【図１１】従来の縦樋雨水取出装置の正面断面図を示す。
【発明を実施するための形態】
【００１５】
以下、本発明の実施形態の一例を添付図面に基づいて説明する。
【００１６】
第一の実施形態の縦樋雨水取出装置１は、図３（ａ）に示すように、上縦樋２と下縦樋３の間に取り付けて、上縦樋２から流れてくる雨水の一部を外部に取り出すものである。縦樋雨水取出装置１には取出ホース１１が接続され、この取出ホース１１は、外部に設置した雨水貯留タンク（図示せず）等に接続される。なお、上縦樋２と下縦樋３は、屋根から地面へ向けて伸びる１本の縦樋を、途中で上下に分割したものである。上縦樋２は、屋根に降った雨水を集めて流す軒樋に接続されている。
【００１７】
縦樋雨水取出装置１は、図３（ａ）に示すように、上縦樋２と下縦樋３とを連通させる円筒状の取水用継手筒４と、この取水用継手筒４に連通し、取水用継手筒４を流れる雨水を外部に取り出す雨水取出部５と、から構成される。取水用継手筒４と雨水取出部５とは樹脂で一体に成形されたものである。なお、取水用継手筒４と雨水取出部５は、別々に形成し接続させたものであってもよい。
【００１８】
雨水取出部５は、図２に示すように、平面断面円状の取水用継手筒４の外周の一部が外側に向けて突出した平面断面Ｕ字状の壁面１２と、壁面１２の底をなす底面１３と、壁面１２の上部に着脱自在に取り付けられる蓋１４から、外郭が形成される。底面１３と蓋１４とはそれぞれ半楕円状に形成されている。そして、底面１３には、上下に貫通する取出孔１５が設けられていて、この取出孔１５周縁の底面１３からは、下方に向けて突出する円筒状の取出筒１６が形成されている。また、底面１３の取水用継手筒４側の端部には、一対の突出片１７が上方に突出している。一対の突出片１７，１７は、間を置いて形成されていて、この一対の突出片１７，１７の間が取水用継手筒４から雨水取出部５への雨水の流路となる。なお、この一対の突出片１７，１７はそれぞれ、壁面１２と一体に形成されている。
【００１９】
雨水取出部５には、フィルタ（図示せず）が取り付けられ、取水用継手筒４から雨水取出部５の取出孔１５へ流れる雨水中のゴミを取り除くことができる。このフィルタは、雨水取出部５から蓋１４を取り外すことで、交換可能である。
【００２０】
雨水取出部５の取出筒１６には、図５（ａ）に示すように、取出ホース１１の一端が接続される。詳しくは、図５（ｂ）に示すように、取出筒１６の外周面に取出ホース１１の一端の内周面が外嵌され、この外嵌した箇所の外周にさらに締め具１８が外嵌されて、取出ホース１１の一端は取出筒１６に固定されて、内部が連通する。
【００２１】
また、他の接続方法としては、図６（ａ）に示すように、取出筒１６の内側に取出ホース１１の一端が接続されるものがある。このものでは、図６（ｂ）に示すように、取出ホース１１の外周面全周に亘って螺旋状の突起１９が形成されていて、取出筒１６には取出ホース１１の一端が嵌まり込む下向きに開口した環状の嵌合溝２０が形成されている。この嵌合溝２０の外周面には全周に亘って、突起１９に嵌合する螺旋状の溝２１が形成されていて、嵌合溝２０の内周面には、取出ホース１１の内周面に当接する当接面２２が形成されている。
【００２２】
上記構成の嵌合溝２０に取出ホース１１の一端を回転させながら挿入していくと、取出ホース１１の一端は、内周面が嵌合溝２０の当接面２２に当接しながら、外周面の螺旋状の突起１９が嵌合溝２０の螺旋状の溝２１に嵌合する。このようにして、取出ホース１１の一端は、取出筒１６の内側に狭持された状態で接続される。よって、外嵌させる場合のように締め具１８でわざわざ固定しなくともよい。また、回転させながら挿入するだけで接続させることができるので、外嵌させる場合と比べて、接続に要する時間を短縮することができる。また、取出ホース１１の端部の切断面は、通常、まっすぐ綺麗に切断することが難しく、斜めに切断されていることが多いが、内嵌させることで、その斜めの切断面を露出させなくて済むので、接続状態が綺麗に見える。なお、取出ホース１１と取出筒１６を嵌め合わせる形状は例示の形状に限定されるものではない。
【００２３】
また、縦樋雨水取出装置１は、図７（ｃ）に示すように、建築壁２３に固定することが好ましい。図７（ａ）に示すように、取水用継手筒４の外周面からは、固着部２４が突出形成されている。固着部２４は、取水用継手筒４の外周面から突出する２つの板状の突起２５，２５から形成されている。この２つの板状の突起２５，２５にはそれぞれねじ孔２６が２つずつ貫通して設けてある。この固着部２４は、図７（ｂ１）に示すＴ型足２７や、図７（ｂ２）に示すＬ型足２８などの固着接続具を介して、建築壁２３にねじやボルト等で固定される。Ｔ型足２７及びＬ型足２８には、それぞれねじ孔が複数設けられている。Ｔ型足２７やＬ型足２８は例えば一般に市販されている金物であることが好ましい。なお、Ｔ型足２７やＬ型足２８は樹脂成形されたものであってもよい。
【００２４】
また、縦樋雨水取出装置１を建築壁２３に固定する構造としては、図８に示すように、図７のＴ型足２７と固着部２４とが一体となったＴ型突起の固着部２９であってもよい。この固着部２９は、先端の板状部分にねじ孔３０が２つ設けてある。この固着部２９であれば、図７（ｃ）のように、Ｔ型足２７と固着部２４とをねじやボルト等で固定する作業を行わなくてよいので、施工性が向上したものとなる。また、Ｔ型足２７ではなく、Ｌ型足２８が固着部２４と一体となったものであってもよい。
【００２５】
上述した固着部２４あるいは固着部２９を介して建築壁２３に縦樋雨水取出装置１を固定することで、縦樋雨水取出装置１にかかる外力（強風、地震、人が誤って力を加える等）に対する抵抗力を高めることができる。もちろん、上縦樋２や下縦樋３の重量が大きい場合には、外力に対する抵抗力を高めることは特に効果的である。以上のように建築壁２３に縦樋雨水取出装置１を固定することで、上縦樋２や下縦樋３から縦樋雨水取出装置１が外れてしまうことを抑制して、上縦樋２や下縦樋３や縦樋雨水取出装置１が破損してしまうことを防止できる。
【００２６】
本実施形態の取水用継手筒４の構成についてさらに詳しく説明する。
【００２７】
取水用継手筒４は、外径が一定の筒状のものであって、図１（ａ）に示すように、上縦樋２に接続する上縦樋接続筒部６を上端部に備え、下縦樋３に接続する下縦樋接続筒部７を下端部に備えている。また、上端部と下端部の間には、取水用継手筒４の内部を上下に仕切る仕切り部８を備えている。この仕切り部８には、上下に貫通する貫通孔９を備えている。つまり、仕切り部８は、リング状に形成されており、外周が取水用継手筒４の内周面と一体に形成されている。なお、この仕切り部８は、雨水取出部５の底面１３よりも上方位置にある。
【００２８】
上縦樋接続筒部６は、図２（ａ）に示すように、平面視筒状である。上縦樋接続筒部６は、後述する接続部材３１を取り付けることで、様々な太さの上縦樋２に接続可能となっている。様々な太さの上縦樋２とは、内径が貫通孔９の外径よりも大きく、外径が上縦樋接続筒部６の内径よりも小さい寸法条件を満たすものを示す。
【００２９】
例えば、上縦樋２の外径が上縦樋接続筒部６の内径より小さい場合、図３（ａ）及び図４（ａ）に示すように、環状の接続部材３１を介して、上縦樋２は上縦樋接続筒部６に接続される。ここで、この環状の接続部材３１は、可撓性のものであって、撓むことで、様々な太さの上縦樋２を上縦樋接続筒部６に接続させることができる。なお、接続部材３１は、撓んで上縦樋接続筒部６と上縦樋２の間を埋めるので、シール部材としての役割も果たす。また、上縦樋２の外径が上縦樋接続筒部６の内径と略同じ場合、図３（ｂ）及び図４（ｂ）に示すように、リング状のシール部材（図示せず）を介して、上縦樋２は上縦樋接続筒部６に接続される。
【００３０】
また、下縦樋接続筒部７は、図１（ａ）及び図２（ｃ）に示すように、取水用継手筒４の下端部（以後、「接続用外筒３２」という）と、仕切り部８から下方に突出する２つの筒体（排水用内筒３３と接続用中筒３４）から構成される。この３つの筒体は、同心に形成されていて、内側から順番に、排水用内筒３３、接続用中筒３４、接続用外筒３２と並んでいる。排水用内筒３３は、貫通孔９周縁の仕切り部８から下方に突出したものであり、接続用中筒３４は、排水用内筒３３と接続用外筒３２の間の仕切り部８から下方に突出したものである。
【００３１】
下縦樋接続筒部７は、シール部材（図示せず）を介して、様々な太さの下縦樋３を接続可能となっている。様々な太さの下縦樋３とは、内径が排水用内筒３３の外径よりも大きく、外径が接続用外筒３２の内径よりも小さいものを示す。実際には、下縦樋３の一端の内周面が、シール部材を介して、排水用内筒３３の外周面か接続用中筒３４の外周面に接続されるか、または、下縦樋３の一端の外周面が、シール部材を介して、接続用中筒３４の内周面か接続用外筒３２の内周面に接続される。なお、下縦樋３は下縦樋接続筒部７にシール部材を介さずに接続されてもよい。
【００３２】
つまり、下縦樋３の外径が接続用中筒３４の内径と略同じ場合、図３（ａ）及び図４（ａ）に示すように、リング状のシール部材（図示せず）を介して、下縦樋３は接続用中筒３４の内周面に接続される。また、下縦樋３の外径が接続用外筒３２の内径と同じ場合、図３（ｂ）及び図４（ｂ）に示すように、リング状のシール部材（図示せず）を介して、下縦樋３は下縦樋接続筒部７の接続用外筒３２に接続される。
【００３３】
上述した構成の取水用継手筒４には、図１（ｄ）に示すような、調整筒体１０が仕切り部８上に取り付けられる。調整筒体１０は、仕切り部８より上方へ突出する筒状のものであって、その突出長さを調整可能なものである。本実施形態においては、調整筒体１０は、図１（ｂ１），（ｂ２），（ｂ３）に示すような、仕切り部８より上方への突出長さが異なる複数（本例では３つ）の筒状体３５，３６，３７の中から１つを選択したものである。なお、筒状体は複数であればよく、２つであってもよいし、３つ以上であってもよい。
【００３４】
筒状体３５，３６，３７は、筒部３８とフランジ部３９から構成され、それぞれ、筒部３８の一端からフランジ部３９が外側に向かって突出している。筒部３８は、内径が貫通孔９の径と略同寸に形成されている。フランジ部３９はリング状に形成されており、リング状の仕切り部８の外径と略同じ外径となっている。筒状体３５，３６，３７は、仕切り部８上に取り付けられると、図１（ｃ）に示すように、筒部３８と貫通孔９とが連通し、フランジ部３９の下面が、仕切り部８の上面に当接する。なお、図１（ｃ）は、図１（ｂ３）の筒状体３７を、仕切り部８上に取り付けた状態を示している。
【００３５】
上記構成の調整筒体１０（筒状体３５，３６，３７のうちいずれか１つ）を、縦樋雨水取出装置１に取り付けて、この縦樋雨水取出装置１を、上縦樋２と下縦樋３との間に接続する。上縦樋２から流れ込んでくる雨水は、一旦、筒状体３５，３６，３７のフランジ部３９で受け止められる。この時、フランジ部３９で受け止められた雨水の一部は、筒部３８を越えて貫通孔９に流れ込み下縦樋３に排水され、残りの雨水は、一対の突出片１７，１７の間を通って、雨水取出部５に流れ込み外部へと取り出される。
【００３６】
ここで、筒状体３５，３６，３７の中からいずれの筒状体を選択すればよいかの１つの目安について説明する。
【００３７】
上縦樋２を流れる雨水の量が多い場合（上縦樋２の太さが太い場合、上縦樋２に接続される軒樋の水量が多い場合、雨量の多い地域に設置される場合等）には、上方への突出長さの短い筒状体３７を取り付ける。このように、上方への突出長さの短い筒状体３７を取り付けることで、一旦、筒状体３７のフランジ部３９で受け止めた雨水の大部分を、筒部３８を越えさせて貫通孔９に流れ込ませることができる。つまり、上縦樋２を流れる雨水の量が多い場合には、縦樋雨水取出装置１に流れ込んできた雨水の排水する水量を増やし、取り出す水量を減らすことで、流れ込んできた雨水の大部分を下縦樋３に排水して、縦樋雨水取出装置１が雨水で溢れてしまうことを抑制できる。
【００３８】
また、上縦樋２を流れる雨水の量が少ない場合（上縦樋２の太さが細い場合、上縦樋２に接続される軒樋の水量が少ない場合、雨量の少ない地域に設置される場合等）には、上方への突出長さの長い筒状体３５を取り付ける。このように、上方への突出長さの長い筒状体３５を取り付けることで、一旦、筒状体３５のフランジ部３９で受け止めた雨水が筒部３８を越え難いようにして、この雨水の大部分を雨水取出部５に流れ込ませることができる。つまり、上縦樋２を流れる雨水の量が少ない場合には、縦樋雨水取出装置１に流れ込んできた雨水の排水する水量を減らして、取り出す水量を増やすことで、流れ込んできた少ない雨水の大部分を雨水取出部５に取り出すことができる。
【００３９】
なお、上縦樋２を流れる雨水が多い場合、少ない場合それぞれの場合に、図１（ｂ２）に示す筒状体３６を選択すれば、縦樋雨水取出装置１に流れ込んできた雨水の排水する水量と取り出す水量を、筒状体３５や筒状体３７を選択した場合とは違う水量にそれぞれ調整することができる。
【００４０】
以上のように、上縦樋２を流れる雨水の量に応じて、筒状体３５，３６，３７の中からいずれかの筒状体を選択すればよい。なお、上縦樋２を流れる雨水の量だけでなく、外部に取り出したい雨水の量も、選択の目安となる。
【００４１】
筒状体３５，３６，３７のフランジ部３９の一部からは、図１（ｄ）に示すように、上方に突出する隙間形成用突起４０が２つ径方向に並んで形成されている。なお、内側の隙間形成用突起４０は、筒部３８と一体となっている。この内側の隙間形成用突起４０は、図４（ａ）に示すように、径の細い上縦樋２が上縦樋接続筒部６の奥まで挿入された場合に、上縦樋２の下端面に当接する。また、外側の隙間形成用突起４０は、図４（ｂ）に示すように、径の太い上縦樋２が上縦樋接続筒部６の奥まで挿入された場合に、上縦樋２の下端面に当接する。
【００４２】
以上のように、隙間形成用突起４０をフランジ部３９の一部に設けて、上縦樋２の下端面が、フランジ部３９に当接しないようにしたことで、上縦樋２が隙間形成用突起４０に当接するまで挿入された場合であっても、上縦樋２の下端面とフランジ部３９の間に隙間を形成することができる。よって、この隙間を通じて、上縦樋２を流れる雨水を雨水取出部５まで取り出すことができる。なお、上縦樋２は、気温の変動等で上縦樋２や取水用継手筒４が伸縮しても、上縦樋接続筒部６から外れ難い程度に差し込まれた状態で接続されればよく、下端が隙間形成用突起４０に当接するまで差し込まれた状態で接続されなくてもよい。
【００４３】
ここで、図１（ｂ）に示すように、筒状体３５，３６，３７の隙間形成用突起４０はそれぞれ、筒部３８と同じ突出長さとなっている。そのため、上縦樋２が隙間形成用突起４０に当接するまで挿入された場合にできる、上縦樋２の下端面とフランジ部３９の間の上下隙間は、筒状体３５，３６，３７のそれぞれの筒部３８の突出長さに応じた広さとなる。つまり、筒部３８の長い筒状体３５を選択した場合には、上縦樋２の下端面とフランジ部３９の間の上下隙間を広くとることができるので、雨水が筒部３８を越え難いようにしたうえで、その雨水が流れる流路を広く取ることができ、フランジ部３９で受けた雨水の大部分を雨水取出部５に取り出すことができる。また、筒部３８の短い筒状体３７を選択した場合には、上縦樋２の下端面とフランジ部３９の間の上下隙間が狭いので、雨水が筒部３８を越え易く、その雨水が流れる流路も狭いので、フランジ部３９で受けた雨水の大部分を下縦樋３に排水することができる。以上のように、上縦樋２が隙間形成用突起４０に当接するまで挿入された場合であっても、選択した筒状体（筒状体３５，３６，３７のうちいずれか１つ）に応じた適切な水量の雨水を外部に取り出すことができる。
【００４４】
続いて、第二の実施形態の縦樋雨水取出装置１について説明する。第一の実施形態の縦樋雨水取出装置１に対応する構成については図面上に同じ符号を付けて説明を省略し、異なる構成についてのみ詳しく説明する。
【００４５】
本実施形態の縦樋雨水取出装置１は、図９に示すように、第一の実施形態の、貫通孔９周縁の仕切り部８から下方に突出する排水用内筒３３が、仕切り部８の上方にも突出している。また、仕切り部８より上方へ突出し、その突出長さを調整可能な調整筒体１０は、この排水用内筒３３の内周面に、上下に移動自在に嵌め込まれた移動筒体４１となっている。ここで、排水用内筒３３の内径と貫通孔９の径は同じであって、排水用内筒３３の内周面の一部が、貫通孔９となっている。つまり、移動筒体４１は、貫通孔９に上下に移動自在に嵌め込まれたものでもある。
【００４６】
移動筒体４１は、筒状のものであって、図９及び図１０（ｂ）に示すように、外周面の下部に、螺旋状の突起４２が突出形成されている。そして、排水用内筒３３の内周面の下部には、この螺旋状の突起４２に嵌合する螺旋状の溝４３が形成されている。排水用内筒３３の内周面の上部には、リング状のシール部材４４が取り付けられ、このシール部材４４が移動筒体４１の外周面の上部に当接して、止水可能となっている。
【００４７】
移動筒体４１は、排水用内筒３３の内側で回転させることで、外周面の螺旋状の突起４２が、排水用内筒３３の内周面の螺旋状の溝４３に嵌合して、螺進退を行い、図９（ａ）に示す上端位置から、図９（ｂ）に示す下端位置まで、上下に移動自在となる。ここで、移動筒体４１が下端位置に位置した状態で、移動筒体４１の上端面は、排水用内筒３３の上端面と略面一となる。なお、移動筒体４１は排水用内筒３３の内周面に沿って、上下に移動自在であれば、移動筒体４１の外周面と排水用内筒３３の内周面の構成は、上述の構成に限定されず、他の嵌合構造であってもよい。また、移動筒体４１は、図９（ａ）に示す上端位置よりもさらに上方に移動可能に形成されていてもよい。
【００４８】
上記構成の調整筒体１０（移動筒体４１）を、縦樋雨水取出装置１に取り付けて、この縦樋雨水取出装置１を、上縦樋２と下縦樋３との間に接続する。上縦樋２から流れ込んでくる雨水は、一旦、排水用内筒３３の外周面と取水用継手筒４の内周面の間の仕切り部８で受け止められる。この時、仕切り部８で受け止められた雨水の一部は、排水用内筒３３と移動筒体４１を越えて貫通孔９に流れ込み下縦樋３に排水され、残りの雨水は、一対の突出片１７，１７の間を通って、雨水取出部５に流れ込み外部へと取り出される。
【００４９】
本実施形態においては、上縦樋２を流れる雨水の量に応じて、移動筒体４１を上下に移動させて、移動筒体４１の、排水用内筒３３よりも上方への突出長さ（仕切り部８よりも上方への突出長さ）を調整すれば、適切な水量の雨水を外部に取り出すことができる。なお、上縦樋２を流れる雨水の量だけでなく、外部に取り出したい雨水の量も、突出長さの目安となる。
【００５０】
また、本実施形態においては、仕切り部８の一部からは、図９及び図１０に示すように、上方に突出する隙間形成用突起４０が２つ径方向に並んで形成されている。なお、隙間形成用突起４０の上方への突出長さは、排水用内筒３３の仕切り部８より上方への突出長さと略同じである。このように、隙間形成用突起４０を仕切り部８の一部に設けて、上縦樋２の下端面が、仕切り部８に当接しないようにしたことで、上縦樋２が隙間形成用突起４０に当接するまで挿入された場合であっても、上縦樋２の下端面と仕切り部８の間に隙間ができる。よって、この隙間を通じて、上縦樋２を流れる雨水を雨水取出部５まで取り出すことができる。
【００５１】
（各実施形態の作用効果）
第一と第二の実施形態の縦樋雨水取出装置１は、上縦樋２と下縦樋３とを連通させる取水用継手筒４と、取水用継手筒４に連通し、取水用継手筒４を流れる雨水を外部に取り出す雨水取出部５と、からなる。取水用継手筒４は、上端部に上縦樋接続筒部６を備え、下端部に下縦樋接続筒部７を備え、上端部と下端部の間に取水用継手筒４の内部を上下に仕切る仕切り部８を備える。仕切り部８は上下に貫通する貫通孔９を備える。そして、仕切り部８より上方へ突出し、その突出長さを調整可能な調整筒体１０を、貫通孔９に連通するように仕切り部８に設けたことを特徴とする。
【００５２】
このような構成としたことで、上縦樋２から流れ込む雨水の水量が多い場合には、調整筒体１０の上方への突出長さを短くし、この調整筒体１０を越えて下縦樋３に排水される雨水の水量を多くして、縦樋雨水取出装置１が雨水で溢れてしまうことを抑制できる。また、上縦樋２から流れ込む雨水の水量が少ない場合には、調整筒体１０の上方への突出長さを長くして、この調整筒体１０を越えて下縦樋３に排水される雨水の水量を減らして、雨水取出部５に取り出す雨水の水量を増やすことができる。
【００５３】
以上のように、調整筒体１０の仕切り部８より上方への突出長さを最適な長さに調整することで、この縦樋雨水取出装置１は、上縦樋２を流れる雨水の水量に合わせて、適切な水量の雨水を外部に取り出すことができる。
【００５４】
また、第一の実施形態の縦樋雨水取出装置１においては、調整筒体１０は、仕切り部８より上方への突出長さが異なる複数の筒状体３５，３６，３７…の中から選択したものであることを特徴とする。
【００５５】
このような構成としたことで、上縦樋２を流れる雨水の水量に合せて、最適な突出長さの筒状体を、仕切り部８より上方への突出長さが異なる複数の筒状体３５，３６，３７…の中から１つ選べばよい。例えば、上縦樋２から流れ込む雨水の水量が多い場合には、上方への突出長さの短い筒状体３７を選択し、上縦樋２から流れ込む雨水の水量が少ない場合には、上方への突出長さの長い筒状体３５を選択するだけでよい。このように選択するだけで、調整筒体１０の仕切り部８より上方への突出長さを最適な長さに容易に調整することができ、上縦樋２を流れる雨水の水量に合わせて、適切な水量の雨水を外部に取り出すことができる。
【００５６】
また、第二の実施形態の縦樋雨水取出装置１においては、調整筒体１０は、貫通孔９に上下に移動自在に嵌め込まれた移動筒体４１であることを特徴とする。
【００５７】
このような構成としたことで、上縦樋２から流れ込む雨水の水量が多い場合には、上方への突出長さが短くなるように移動筒体４１を下方に移動させ、上縦樋２から流れ込む雨水の水量が少ない場合には、上方への突出長さが長くなるように移動筒体４１を上方に移動させればよい。よって、複数の調整筒体１０を準備する必要がなく、移動筒体４１を上下に移動させるだけで、調整筒体１０の仕切り部８より上方への突出長さを最適な長さに調整することができ、上縦樋２を流れる雨水の水量に合わせて、適切な水量の雨水を外部に取り出すことができる。
【００５８】
（変更例）
第一及び第二の実施形態においては、フランジ部３９又は仕切り部８の一部に隙間形成用突起４０を形成したが、一部ではなく、複数箇所に設けてもかまわない。
【００５９】
また、第一及び第二の実施形態においては、隙間形成用突起４０を２つ径方向に並べて形成したが、径方向に延びる１つの隙間形成用突起４０としてもよい。その場合、隙間形成用突起４０の強度も強くなり、成形もしやすい。
【００６０】
また、第二の実施形態において、排水用内筒３３を仕切り部８の上下に突出するものとしたが、第一の実施形態の排水用内筒３３と同様に、仕切り部８の下方にのみ突出するものであっても構わない。
【００６１】
なお、図８に示す固着部２９は、縦樋雨水取出装置１に限らず、上縦樋２と下縦樋３の間に取り付けられて、上縦樋２や下縦樋３の伸縮を吸収する筒状の伸縮縦継手（雨水取出機能を有さないもの）に形成してもかまわない。
【００６２】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００６３】
１              縦樋雨水取出装置
２              上縦樋
３              下縦樋
４              取水用継手筒
５              雨水取出部
６              上縦樋接続筒部
７              下縦樋接続筒部
８              仕切り部
９              貫通孔
１０            調整筒体
３５，３６，３７  筒状体
４０              移動筒体
【図１】
2012046955.tif 000003
【図２】
2012046955.tif 000004
【図３】
2012046955.tif 000005
【図４】
2012046955.tif 000006
【図５】
2012046955.tif 000007
【図６】
2012046955.tif 000008
【図７】
2012046955.tif 000009
【図８】
2012046955.tif 000010
【図９】
2012046955.tif 000011
【図１０】
2012046955.tif 000012
【図１１】
2012046955.tif 000013